(57)【要約】  カメラモジュールの撮像部内の通気性を確保しつつ、異物付着による撮像素の不良（シミ不良）を低減しうるカメラモジュールを提供する。配線基板、カバー体（３６）、および透明板（３８）により内部空間が形成されたカメラモジュールにおいて、カバー体（３６）の透明板（３８）との接着面には、上記内部空間から該内部空間の外部に至る通気溝（４５）と、通気溝（４５）から枝分かれするように形成された凹部（４６）とが形成されている。
2015159689.tif 000002
【特許請求の範囲】
【請求項１】
配線基板と、該配線基板に搭載された撮像素子と、該撮像素子を覆うカバー体と、該撮像素子の上方に形成されたカバー体の開口と重なるようにカバー体に接着された透明板と、該透明板の上方に設けられた撮像レンズとを含み、上記配線基板、カバー体、および透明板により内部空間が形成されたカメラモジュールにおいて、
上記カバー体の透明板との接着面には、上記内部空間から該内部空間の外部に至る通気溝と、該通気溝から枝分かれするように形成された凹部とが形成されていることを特徴とするカメラモジュール。
【請求項２】
上記通気溝は屈曲部を有し、上記凹部は、上記通気溝の外部側から屈曲部に至る経路を延長するように、該屈曲部に連通していることを特徴とする請求項１記載のカメラモジュール。
【請求項３】
前記通気溝は円弧形状部を有し、上記凹部はこの円弧形状部の外周に連通していることを特徴とする請求項１記載のカメラモジュール。
【請求項４】
上記凹部の通気溝との連通部分の幅と上記凹部の奥行との少なくとも一方が、通気溝の上記凹部との連通部分の幅よりも大きいことを特徴とする請求項１〜３のいずれか１項に記載のカメラモジュール。
【請求項５】
上記凹部は、通気溝との連通部分である入口側の幅よりも、奥側の幅が広くなっていることを特徴とする請求項１〜４のいずれか１項に記載のカメラモジュール。
【請求項６】
上記凹部の深さは、通気溝の深さよりも大きいことを特徴とする請求項１〜５のいずれか１項に記載のカメラモジュール。
【発明の詳細な説明】
【技術分野】
【０００１】
本発明はカメラモジュールに関する。
【背景技術】
【０００２】
カメラ付き携帯電話、デジタルカメラ又はセキュリティカメラ等に使用されているカメラモジュールは、例えば、ＣＣＤ（Charge Coupled Device：電荷結合素子）やＣＭＯＳ（Complementary Metal Oxide Semiconductor:相補形金属酸化膜半導体）等の撮像素子と、ガラス等の透明板および端子を有する配線基板と、それらを保持するカバー体と、レンズ並びにレンズバレル等からなる集光部と、それらを保持するレンズ保持体とが一体化された構造になっている。【０００３】
特許文献１のカメラモジュールの構造を図１５（ａ）〜（ｅ）に示す。図１５（ａ）に示すように、カメラモジュールは、集光部２０と、撮像部１０とを備える。集光部２０には、レンズ保持体２２と、レンズ保持体２２に固定された、レンズ２１を含むレンズユニットとが設けられている。撮像部１０には、配線基板１１と、配線基板１１上に接着剤１２を介して設置された撮像素子１３と、ガラスおよびプラスチック等からなる透明板１７と、配線基板１１および撮像素子を覆うカバー体１４とが設けられている。カバー体１４は、配線基板１１上に設置されている。撮像素子１３は、ワイヤ１５等にて配線基板１１に電気的に接続されている。透明板１７の端部は、接着剤１６によってカバー体１４に固定されている。レンズユニット２１は、撮像部１０における撮像素子１３および透明板１７の上方に設けられている。【０００４】
カバー体１４の中央には開口が設けられており、この開口上に透明板１７が配されている。この結果、撮像部１０には、透明板１７と、カバー体１４と配線基板１１とで囲まれた内部空間１８が形成される。【０００５】
内部空間１８を密封すると、温度上昇に伴って内部空間１８内の気体が熱膨張し、接合部を基点に亀裂等が生じるおそれがある。また、温度変化や気圧変化により接着剤１２・１６等から発生するガスやイオンの影響によって透明板１７に曇りが生じるおそれもある。上記カメラモジュールでは、カバー体１４に通気溝Ｇを設け、内部空間１８とカバー体１４の外部とを、通気溝Ｇおよび間隙１９を介して連通させている。なお、通気溝Ｇの平面構造は図１５（ｂ）〜（ｅ）のとおりである。【０００６】
ここで、上記のように内部空間１８とカバー体１４の外部とを連通させると、外部から内部空間１８に異物が混入し、この異物が撮像素子１３に付着するおそれがある。上記カメラモジュールでは、図１５（ｅ）に示すように、通気溝Ｇの底を部分的に掘り下げて凹部ＧＨを形成し、この凹部ＧＨによって通気溝Ｇに侵入した異物をトラップしている。
【先行技術文献】
【特許文献】
【０００７】
【特許文献１】日本国特許第５３４１２６６号（２０１３年９月２６日公開）
【発明の概要】
【発明が解決しようとする課題】
【０００８】
しかしながら、凹部ＧＨにトラップされた異物は、カメラモジュールの天地の入れ替わり等によって容易に通気溝Ｇに戻り、撮像素子１３上に付着するおそれがある。なお、薄型化が求められるカメラモジュールでは、カバー体１４を厚くすることができず、凹部ＧＨをトラップに十分な深さにすることが難しいという事情もある。【０００９】
本発明の目的は、カメラモジュールの撮像部内の通気性を確保しつつ、異物付着による撮像素子の不良（シミ不良）を低減しうるカメラモジュールを提供することにある。
【課題を解決するための手段】
【００１０】
本カメラモジュールは、配線基板と、配線基板に搭載された撮像素子と、撮像素子を覆うカバー体と、該撮像素子の上方に形成されたカバー体の開口と重なるようにカバー体に接着された透明板と、該透明板の上方に設けられた撮像レンズとを含み、上記配線基板、カバー体、および透明板により内部空間が形成されたカメラモジュールにおいて、上記カバー体の透明板との接着面には、上記内部空間から該内部空間の外部に至る通気溝と、該通気溝から枝分かれするように形成された凹部とが形成されている構成である。【００１１】
上記構成では、凹部が通気溝から枝分かれするように形成されているため、通気溝に侵入し、該凹部にトラップされた異物が通気溝に戻りにくい。これにより、上記内部空間への異物の侵入を抑制することができる。
【発明の効果】
【００１２】
以上から、カメラモジュールの撮像部内の通気性を確保しつつ、異物付着による撮像素子の不良（シミ不良）を低減することができる。
【図面の簡単な説明】
【００１３】
【図１】図１は実施形態１に係るカメラモジュールの構成を模式的に示す断面図である。
【図２】（ａ）は図１の撮像部の下面図であり、（ｂ）は（ａ）の縦線に沿った断面図、（ｃ）は（ａ）の横線に沿った断面図である。
【図３】（ａ）は実施形態１のカバー体の構成を示す平面図であり、（ｂ）は（ａ）の縦線に沿った断面図、（ｃ）は（ａ）の横線に沿った断面図である。
【図４】（ａ）は実施形態２のカバー体の構成を示す平面図であり、（ｂ）は（ａ）の縦線に沿った断面図、（ｃ）は（ａ）の横線に沿った断面図である。
【図５】（ａ）は実施形態３のカバー体の構成を示す平面図であり、（ｂ）は（ａ）の縦線に沿った断面図、（ｃ）は（ａ）の横線に沿った断面図である。
【図６】（ａ）は実施形態４のカバー体の構成を示す平面図であり、（ｂ）は（ａ）の縦線に沿った断面図、（ｃ）は（ａ）の横線に沿った断面図である。
【図７】（ａ）は実施形態５のカバー体の構成を示す平面図であり、（ｂ）は（ａ）の縦線に沿った断面図、（ｃ）は（ａ）の横線に沿った断面図である。
【図８】（ａ）は実施形態６のカバー体の構成を示す平面図であり、（ｂ）は（ａ）の縦線に沿った断面図、（ｃ）は（ａ）の横線に沿った断面図である。
【図９】（ａ）は実施形態７のカバー体の構成を示す平面図であり、（ｂ）は（ａ）の縦線に沿った断面図、（ｃ）は（ａ）の横線に沿った断面図である。
【図１０】（ａ）は実施形態８のカバー体の構成を示す平面図であり、（ｂ）は（ａ）の縦線に沿った断面図、（ｃ）は（ａ）の横線に沿った断面図である。
【図１１】（ａ）は実施形態９のカバー体の構成を示す平面図であり、（ｂ）は（ａ）の縦線に沿った断面図、（ｃ）は（ａ）の横線に沿った断面図である。
【図１２】（ａ）は実施形態１０のカバー体の構成を示す平面図であり、（ｂ）は（ａ）の縦線に沿った断面図、（ｃ）は（ａ）の横線に沿った断面図である。
【図１３】（ａ）は実施形態１０のカバー体の別構成を示す平面図であり、（ｂ）は（ａ）の縦線に沿った断面図、（ｃ）は（ａ）の横線に沿った断面図である。
【図１４】（ａ）は実施形態１１のカバー体の構成を示す平面図であり、（ｂ）は（ａ）の縦線に沿った断面図、（ｃ）は（ａ）の横線に沿った断面図である。
【図１５】（ａ）は従来のカメラモジュールの構成を模式的に示す断面図であり、（ｂ）〜（ｅ）は（ａ）の通気溝の構成を示す平面模式図である。
【発明を実施するための形態】
【００１４】
〔実施形態１〕
本発明の実施形態について図１〜図１４に基づいて説明すれば、以下のとおりである。
【００１５】
（カメラモジュールの基本的構成）
図１は、実施形態１に係るカメラモジュールの構成を模式的に示す断面図である。図１に示すように、カメラモジュール３０には、集光部３２と撮像部３５とを備える。集光部３２には、レンズ保持体３４と、レンズ保持体３４に固定された、撮像レンズＬＳを含むレンズユニット３３とが設けられている。
【００１６】
撮像部３５は、配線基板４１と、配線基板４１上に接着剤４０を介して搭載された撮像素子３９と、これら配線基板４１および撮像素子３９を覆うカバー体３６とを備える。カバー体３６は、接着剤４２を介して配線基板４１に固定され、撮像素子３９は、ワイヤ等（図示せず）にて配線基板４１に電気的に接続される。
【００１７】
カバー体３６の天井部の中央には開口ＡＰが設けられており、開口ＡＰと重なるように透明板３８が設けられている。透明板３８は、撮像素子３９の上方に位置し、上記天井部の開口ＡＰの周囲に接着剤３７により固定されている。このため、撮像部３５には、配線基板４１、カバー体３６、および透明板３８で囲まれた内部空間４３が形成される。図１では透明板３８はカバー体３６の天井部の下面に固定されているが、これに限られず、天井部の上面に固定されていてもよい。透明板３８は、ガラス、プラスチックその他の透光性材料で構成されている。レンズユニット３３は、カバー体３６の天井部の上面側に設けられ、撮像素子３９および透明板３８の上方に位置している。
【００１８】
図１の集光部３２は、レンズユニット３３とレンズ保持体３４とから構成される固定焦点式の最も単純な構成であるが、もちろんこれに限られない。集光部３２に、オートフォーカス機構、ズーム機構、手振れ補正機構、マクロ撮影機構等のレンズ駆動装置が設けられていてもよい。
【００１９】
（カメラモジュールの通気溝）
図２（ａ）は図１に示す撮像部の一部の背面図であり、（ｂ）は（ａ）の縦線に沿った断面図、（ｃ）は（ａ）の横線に沿った断面図である。図３（ａ）は図１・２のカバー体の構成を示す平面図であり、（ｂ）は（ａ）の縦線に沿った断面図、（ｃ）は（ａ）の横線に沿った断面図である。
【００２０】
図１〜図３に示すように、カメラモジュール３０では、カバー体３６の天井部における透明板３８との接着面には、内部空間４３から該内部空間の外部（外部空間４４）に至る通気溝４５と、通気溝４５から枝分かれするように形成された凹部４６とが設けられている。すなわち、通気溝４５によって内部空間４３および外部空間４４が互いに連通し、通気溝４５の透明板３８に対する開口面積が大きくなるように、通気溝４５と連通する凹部４６が設けられている。
【００２１】
より具体的には、カバー体３６の天井部の下面には、中央の開口ＡＰから外側に向かう通気溝４５と、通気溝４５に連通する凹部４６とが設けられ、開口ＡＰを取り囲む領域のうち通気溝４５および凹部４６を除いた領域に、接着剤３７を介して透明板３８が接着されている。この結果、透明板３８がカバー体３６に固定された状態において、内部空間４３は、通気溝４５を通して、カバー体３６の外部（外部空間４４）に連通している。
【００２２】
ここで、カバー体３６の天井部の上方にはレンズユニット３３を有する集光部３２が設けられ、集光部３２は、密閉ではなく、微小な空隙にてカメラモジュール３０の外部つまり外気と連通している。このため、内部空間４３が外部空間４４と連通することは、内部空間４３がカメラモジュール３０の外部つまり外気と連通するのと等価といえる。したがって、撮像部３５の内部空間４３における接着剤３７・４０・４２等から発生したガス・イオンを、通気溝４５を介して外気へ逃がすことができ、透明板３８の曇りを抑制することができる。また、気体の熱膨張による内部空間内の圧力上昇を抑え、カメラモジュール内の破損等を防止することができる。
【００２３】
そして、凹部４６は通気溝４５に連通しているため、通気溝４５に侵入した異物を凹部４６に容易にトラップすることができる。凹部４６は通気溝４５から枝分かれするように形成されているため、一旦トラップされた異物は、カメラモジュールの天地や姿勢が変わっても通気溝４５に戻りにくい。したがって、カメラモジュール３０の外部から集光部３２を介して通気溝４５に侵入した異物が内部空間４３に達することはほんどない。なお、通気溝４５は少なくとも１本形成されていればよく、２本以上でもよい。
【００２４】
通気溝４５は、カバー体３６に透明板３８を固定するときに、押圧により広がった接着剤３７を適切に逃がせるだけの深さを有しており、これにより、接着剤３７による通気溝４５の詰まりが回避される。すなわち、接着剤３７は、通気溝４５の手前までしか塗布されない。
【００２５】
ここで、通気溝４５の深さは、接着剤３７の詰まりを考慮しない場合には、内部空間４３に存在する気体の排出および外部からの異物の侵入阻止という２つの目的を両立する最小値（例えば、０．０１〜０．１ｍｍ）が理想である。しかし、通気溝４５に流入する接着剤３７による詰まりを考慮する場合には、例えば、０．０１５ｍｍ〜０．０４０ｍｍ程度が適切である。このとき、通気溝４５の長さと幅に関しては、長さを、例えば、０．２〜１．０ｍｍとし、幅を、例えば、０．１ｍｍ〜０．５ｍｍとするのが好ましい。
【００２６】
凹部４６は直線形状に限定されず、円弧形状、Ｓ字形状、屈曲形状でも構わない。なお、凹部４６の範囲が大きければ異物のトラップ能力も向上する。
【００２７】
〔実施形態２〕
図４（ａ）は実施形態２のカバー体の構成を示す平面図であり、（ｂ）は（ａ）の縦線に沿った断面図、（ｃ）は（ａ）の横線に沿った断面図である。図１・４に示すように、カバー体３６の天井部における透明板３８との接着面には、通気溝４５と、通気溝４５から枝分かれするように形成された凹部４６とが設けられ、通気溝４５は屈曲部４５ｗを有し、凹部４６は、通気溝４５の外部側端部Ｇから屈曲部４５ｗに至る経路を延長するように、屈曲部４５ｗに連通している。
【００２８】
実施の形態２では、通気溝４５の外部側端部Ｇから侵入した異物が屈曲部４５ｗで曲がることなく直進して凹部４６にトラップされ易く、一旦凹部４６にトラップされた異物は、カメラモジュールの天地や姿勢が変わっても通気溝４５に戻りにくい。よって、異物が通気溝４５の内部空間側端部Ｎまで到達するのが困難となる。
【００２９】
一方、内部空間４３から通気溝４５の内部空間側端部Ｎに侵入した異物は、通気溝４５の屈曲部４５ｗを超え、屈曲部４５ｗと外部側端部Ｇとの間、あるいは凹部４６に到達する。屈曲部４５ｗと外部側端部Ｇとの間に到達した異物は、内部空間４３が昇温されたときに、内部空間４３内の気体膨張によって生じる気流によって、外部空間４４に排出される。また、内部空間４３が降温されたときに、内部空間４３内の気体収縮によって生じる気流によって、屈曲部４５ｗと外部側端部Ｇとの間にある異物は凹部４６に捕獲される。
【００３０】
すなわち、通気溝４５への異物の侵入方向によって、異物の通過率に差が生じる（内部空間４３からの異物は通気溝４５を通過して外部空間４４に排出され易く、外部空間４４からの異物は凹部４６に捕獲され、通気溝４５を通過し難い）ため、撮像素子３９への異物付着（カメラモジュールの不良）を低減することが可能となる。
【００３１】
〔実施形態３〕
図５（ａ）は実施形態３のカバー体の構成を示す平面図であり、（ｂ）は（ａ）の縦線に沿った断面図、（ｃ）は（ａ）の横線に沿った断面図である。図１・５に示すように、カバー体３６の天井部における透明板３８との接着面には、通気溝４５と、通気溝４５から枝分かれするように形成された凹部４６とが設けられ、通気溝４５は円弧形状部４５ｐを有し、凹部４６はこの円弧形状部４５ｐの外周に連通している。
【００３２】
実施の形態３では、通気溝４５の外部側端部Ｇから侵入した異物が遠心力によって凹部４６にトラップされ易く、一旦凹部４６にトラップされた異物は、カメラモジュールの天地や姿勢が変わっても通気溝４５に戻りにくい。よって、異物が通気溝４５の内部空間側端部Ｎまで到達するのが困難となる。
【００３３】
一方、内部空間４３から通気溝４５に侵入した異物は、通気溝４５の凹部４６との連通部を超えて、連通部と外部側端部Ｇとの間、あるいは凹部４６に到達する。連通部と外部側端部Ｇとの間に到達した異物は、内部空間４３が昇温されたときに、内部空間４３内部の気体膨張により生じる気流によって外部空間４４に排出される。また、内部空間４３が降温されたときに、内部空間１３内部の気体収縮により生じる気流によって、連通部と外部側端部Ｇとの間にある異物は、凹部４６に捕獲される。すなわち、通気溝４５への異物の侵入方向によって、異物の通過率に差が生じるため、撮像素子３９への異物付着（カメラモジュールの不良）を低減することが可能となる。
【００３４】
図５では外部空間４４側の円弧形状部４５ｐに凹部４６を連通させているが、これに限定されない。凹部４６を内部空間４３側の円弧形状部４５ｑの外周に連通させてもよい。また、通気溝４５を円弧形状部と直線形状部の組み合わせで構成することもできる。
【００３５】
〔実施形態４〕
図６（ａ）は実施形態４のカバー体の構成を示す平面図であり、（ｂ）は（ａ）の縦線に沿った断面図、（ｃ）は（ａ）の横線に沿った断面図である。図１・６に示すように、カバー体３６の天井部における透明板３８との接着面には、通気溝４５と、通気溝４５から枝分かれするように形成された凹部４６とが設けられている。
【００３６】
凹部４６の通気溝４５との連通部の幅をｊ、通気溝４５の凹部４６との連通部の幅をｆ、凹部４６の奥行（延伸長）をｈとするとき、ｊ≧ｆであると、通気溝４５に侵入した異物を凹部４６にトラップし易い。また、ｈ≧ｆであると、凹部４６にトラップした異物を凹部４６に保持し易い。すなわち、通気溝４５に侵入した異物は、通気溝４５および凹部４６に留まりやすくなり、通気溝４５から内部空間４３に到達する異物を減らし、カメラモジュールの不良率を低減することが可能である。
【００３７】
〔実施形態５〕
図７（ａ）は実施形態５のカバー体の構成を示す平面図であり、（ｂ）は（ａ）の縦線に沿った断面図、（ｃ）は（ａ）の横線に沿った断面図である。図１・７に示すように、カバー体３６の天井部における透明板３８との接着面には、通気溝４５と、通気溝４５から枝分かれするように形成された凹部４６とが設けられ、通気溝４５は直線形状部４５ｄを有し、凹部４６は直線形状部４５ｄと連通し、凹部４６の奥行き方向と、直線形状部４５ｄの凹部４６との連通部から外部側端部Ｇに向かう方向とがなす角Ｘが鈍角となっている。
【００３８】
実施の形態５では、角Ｘが鈍角となっているため、通気溝４５の外部側端部Ｇから侵入した異物が凹部４６にトラップされ易く、一旦凹部４６にトラップされた異物は、カメラモジュールの天地や姿勢が変わっても通気溝４５に戻りにくい。よって、異物が通気溝４５の内部空間側端部Ｎまで到達するのが困難となる。なお、Ｘは、９０°≦Ｘ＜１８０°を満たせばよい。
【００３９】
一方、内部空間４３から通気溝４５に侵入した異物は、通気溝４５の凹部４６との連通部を超えて、連通部と外部側端部Ｇとの間、あるいは凹部４６に到達する。連通部と外部側端部Ｇとの間に到達した異物は、内部空間４３が昇温されたときに、内部空間４３内部の気体膨張により生じる気流によって、外部空間４４に排出される。また、内部空間４３が降温されたときに、内部空間４３内部の気体収縮により生じる気流によって、連通部と外部側端部Ｇとの間にある異物は、凹部４６に捕獲される。すなわち、通気溝４５への異物の侵入方向によって、異物の通過率に差が生じ、内部空間４３に到達する異物を減らし、カメラモジュールの不良率を低減することが可能である。
【００４０】
なお、図４において、外部側端部Ｇと屈曲部４５ｗとの間に（図４の凹部４６の代わりとして、あるいは図４の凹部４６に加えて）図７のように凹部４６を設けることもできる。同様に図５において、円弧形状部４５ｐに（図５の凹部４６の代わりとして、あるいは図５の凹部４６に加えて）図７のように凹部４６を設けることもできる。また、通気溝４５の直線形状部４５ｄ以外の部分は、直線形状でもよいし、屈曲形状や円弧形状であってもよい。
【００４１】
〔実施形態６〕
図８（ａ）は実施形態６のカバー体の構成を示す平面図であり、（ｂ）は（ａ）の縦線に沿った断面図、（ｃ）は（ａ）の横線に沿った断面図である。図１・８に示すように、カバー体３６の天井部における透明板３８との接着面には、通気溝４５と、通気溝４５から枝分かれするように形成された凹部４６とが設けられ、凹部４６は、通気溝４５との連通部分である入口側４６ｘの幅よりも奥側４６ｙの幅が広くなった巾着袋状である。
【００４２】
実施の形態６では、通気溝４５に侵入した異物は凹部４６に捕獲されるが、凹部４６が巾着袋状であるため、一旦凹部４６に捕獲された異物が通気溝４５に戻りにくい。これにより、内部空間４３に到達する異物を減らし、カメラモジュールの不良率を低減することが可能である。
【００４３】
〔実施形態７〕
図９（ａ）は実施形態７のカバー体の構成を示す平面図であり、（ｂ）は（ａ）の縦線に沿った断面図、（ｃ）は（ａ）の横線に沿った断面図である。図１・９に示すように、カバー体３６の天井部における透明板３８との接着面には、通気溝４５と、通気溝４５から枝分かれするように形成された凹部４６とが設けられ、凹部４６の深さは、通気溝４５の深さよりも大きい。
【００４４】
実施の形態７では、通気溝４５に侵入した異物は凹部４６に捕獲されるが、凹部４６が壺状になっているため、一旦凹部４６に捕獲された異物が通気溝４５に戻りにくい。これにより、内部空間４３に到達する異物を減らし、カメラモジュールの不良率を低減することが可能である。
【００４５】
〔実施形態８〕
図１０（ａ）は実施形態８のカバー体の構成を示す平面図であり、（ｂ）は（ａ）の縦線に沿った断面図、（ｃ）は（ａ）の横線に沿った断面図である。図１・１０に示すように、カバー体３６の天井部における透明板３８との接着面には、通気溝４５と、通気溝４５から枝分かれするように形成された凹部４６とが設けられ、通気溝４５は、凹部４６との連通部４５ｋがそれ以外の部分よりも深くなっており、凹部４６の深さは、通気溝４５の凹部４６との連通部４５ｋの深さと同じである。
【００４６】
実施の形態８では、通気溝４５に侵入した異物は凹部４６に捕獲されるが、通気溝４５の凹部４６との連通部４５ｋが壺状になっているため、一旦凹部４６に捕獲された異物が通気溝４５に戻りにくい。これにより、内部空間４３に到達する異物を減らし、カメラモジュールの不良率を低減することが可能である。
【００４７】
〔実施形態９〕
図１１（ａ）は実施形態９のカバー体の構成を示す平面図であり、（ｂ）は（ａ）の縦線に沿った断面図、（ｃ）は（ａ）の横線に沿った断面図である。図１・１１に示すように、カバー体３６の天井部における透明板３８との接着面には、通気溝４５と、通気溝４５から枝分かれするように形成された凹部４６とが設けられ、通気溝４５は、凹部４６との連通部４５ｋがそれ以外の部分よりも深くなっており、凹部４６の深さは、通気溝４５の凹部４６との連通部４５ｋの深さよりも大きくなっている。
【００４８】
実施の形態９では、通気溝４５に侵入した異物は凹部４６に捕獲されるが、凹部４６が連通部４５ｋよりも深くなっているため、一旦凹部４６に捕獲された異物が連通部４５ｋに戻りにくい。仮に異物が連通部４５ｋに戻っても、連通部４５ｋが壺状になっているために、通気溝４５には戻りにくい。これにより、内部空間４３に到達する異物を減らし、カメラモジュールの不良率を低減することが可能である。
【００４９】
〔実施形態１０〕
図１２（ａ）は実施形態１０のカバー体の構成を示す平面図であり、（ｂ）は（ａ）の縦線に沿った断面図、（ｃ）は（ａ）の横線に沿った断面図である。図１・１２に示すように、カバー体３６の天井部における透明板３８との接着面には、通気溝４５と、通気溝４５から枝分かれするように形成された複数の凹部４６ａ・４６ｂとが設けられている。凹部４６ａおよび４６ｂは、通気溝４５を挟んで互いに向かい合うように配置されている。
【００５０】
実施の形態１０では、通気溝４５に侵入した異物を２つの凹部４６ａ・４６ｂで捕獲することができるため、捕獲率が向上し、また、捕獲した異物が通気溝４５に戻りにくい。すなわち、内部空間４３に到達する異物を減らし、カメラモジュールの不良率を低減することが可能である。
【００５１】
なお、実施の形態１０では、図１３に示すように、凹部４６ａおよび４６ｂを、通気溝４５を挟んで斜め向かいに配置することもできる。また、複数の凹部４６が、通気溝４５の一方の側に並べて配置されていてもよい。
【００５２】
なお、通気溝４５は直線形状に限られず、屈曲形状や円弧形状であってもよい。
【００５３】
〔実施形態１１〕
図１４（ａ）は実施形態１１のカバー体の構成を示す平面図であり、（ｂ）は（ａ）の縦線に沿った断面図、（ｃ）は（ａ）の横線に沿った断面図である。図１・１４に示すように、カバー体３６の天井部における透明板３８との接着面には、通気溝４５と、通気溝４５から枝分かれするように形成された凹部４６が設けられ、凹部４６は、内部空間４３側の奥行４６ｔよりも外部空間４４側の奥行４６ｓが小さい形状である。
【００５４】
実施の形態１１では、通気溝４５の外部側端部Ｇに侵入した異物は、容易に凹部４６に捕獲され、通気溝４５の内部部側端部Ｎに侵入した異物は、通気溝４５の外部側端部Ｇまで戻され易く（通過し易く）なっている。すなわち、内部空間４３に到達する異物を減らし、カメラモジュールの不良率を低減することが可能である。なお、凹部４６については、外部空間４４側の奥行４６ｓをゼロとする（凹部４６の平面形状を三角形とする）こともできる。
【００５５】
本発明は、上述した各実施の形態に限定されるものではなく、各実施の形態にそれぞれ開示された構成を適宜組み合わせて得られる実施形態についても本発明の技術的範囲に含まれる。例えば、図４・図９・図１２の構成の組み合わせも可能であり、この組み合わせにさらに図８の構成を組み合わせることもできる。また、実施形態２（図４）、実施形態４（図６）、実施形態６（図８）、実施形態７（図９）、実施形態８（図１０）、実施形態１０（図１２・１３）、および実施形態１１（図１４）を組み合わせたような実施形態も可能である。
【００５６】
〔まとめ〕
本カメラモジュールは、配線基板と、配線基板に搭載された撮像素子と、撮像素子を覆うカバー体と、該撮像素子の上方に形成されたカバー体の開口と重なるようにカバー体に接着された透明板と、該透明板の上方に設けられた撮像レンズとを含み、上記配線基板、カバー体、および透明板により内部空間が形成されたカメラモジュールにおいて、上記カバー体の透明板との接着面には、上記内部空間から該内部空間の外部に至る通気溝と、該通気溝から枝分かれするように形成された凹部とが設けられていることを特徴とする。
【００５７】
本カメラモジュールでは、上記通気溝は屈曲部を有し、上記凹部は、上記通気溝の外部側から屈曲部に至る経路を延長するように、該屈曲部に連通している構成とすることもできる。
【００５８】
本カメラモジュールでは、前記通気溝は円弧形状部を有し、上記凹部はこの円弧形状部の外周に連通している構成とすることもできる。この構成では、凹部の奥行き方向が、円弧形状部の凹部との連通部中央における接線の方向のうち該連通部中央を基準として上記外部寄りとなる方向に対して９０度以上１８０度未満をなす構成とすることもできる。
【００５９】
本カメラモジュールでは、上記凹部の通気溝との連通部分の幅と上記凹部の奥行との少なくとも一方が、通気溝の上記凹部との連通部分の幅よりも大きい構成とすることもできる。
【００６０】
本カメラモジュールでは、前記通気溝は直線形状部を有し、上記凹部はこの直線形状部と連通し、該凹部の奥行き方向は、上記直線形状部の凹部との連通部分から上記外部側に向かう方向に対して９０度以上１８０度未満をなす構成とすることもできる。
【００６１】
本カメラモジュールでは、上記凹部は、通気溝との連通部分である入口側の幅よりも、奥側の幅が広くなっている構成とすることもできる。
【００６２】
本カメラモジュールでは、上記凹部の深さは、通気溝の深さよりも大きい構成とすることもできる。
【００６３】
本カメラモジュールでは、上記通気溝は、凹部との連通部分がそれ以外の部分よりも深くなっており、上記凹部の深さは、上記通気溝の凹部との連通部分の深さと同じである構成とすることもできる。
【００６４】
本カメラモジュールでは、上記通気溝は、凹部との連通部分がそれ以外の部分よりも深くなっており、上記凹部の深さは、上記通気溝の凹部との連通部分の深さよりも大きい構成とすることもできる。
【００６５】
本カメラモジュールでは、上記凹部が複数形成されている構成とすることもできる。
【００６６】
本カメラモジュールでは、上記凹部は、内部空間側の奥行よりも上記外部側の奥行が小さい形状である構成とすることもできる。
【産業上の利用可能性】
【００６７】
本発明は、例えば、カメラ付き携帯電話やデジタルカメラ、セキュリティカメラ、テレビジョンカメラ等において撮像を行うカメラモジュールに適用することが可能である。
【符号の説明】
【００６８】
３０  カメラモジュール
３２  集光部
３３  レンズユニット
３４  レンズ保持体
３５  撮像部
３６  カバー体
３７  接着剤
３８  透明版
３９  撮像素子
４１  配線基板
４３  内部空間
４４  外部空間
４５  通気溝
４５ｗ  屈曲部
４５ｐ  円弧形状部
４５ｋ  （通気溝の）凹部との連結部
４６    凹部
４６ａ・４６ｂ  複数の凹部
Ｇ  （通気溝の）外部空間側端部
Ｎ  （通気溝の）内部空間側端部
ＬＳ  撮像レンズ
【図１】
2015159689.tif 000003
【図２】
2015159689.tif 000004
【図３】
2015159689.tif 000005
【図４】
2015159689.tif 000006
【図５】
2015159689.tif 000007
【図６】
2015159689.tif 000008
【図７】
2015159689.tif 000009
【図８】
2015159689.tif 000010
【図９】
2015159689.tif 000011
【図１０】
2015159689.tif 000012
【図１１】
2015159689.tif 000013
【図１２】
2015159689.tif 000014
【図１３】
2015159689.tif 000015
【図１４】
2015159689.tif 000016
【図１５】
2015159689.tif 000017
【手続補正書】
【提出日】平成28年10月5日(2016.10.5)
【手続補正１】
【補正対象書類名】特許請求の範囲
【補正対象項目名】全文
【補正方法】変更
【補正の内容】
【特許請求の範囲】
【請求項１】
配線基板と、該配線基板に搭載された撮像素子と、該撮像素子を覆うカバー体と、該撮像素子の上方に形成されたカバー体の開口と重なるようにカバー体に接着された透明板と、該透明板の上方に設けられた撮像レンズとを含み、上記配線基板、カバー体、および透明板により内部空間が形成されたカメラモジュールにおいて、
上記カバー体の透明板との接着面には、上記内部空間から該内部空間の外部に至る通気溝と、該通気溝から枝分かれするように形成された凹部とが形成され、
上記通気溝は屈曲部を有し、上記凹部は、上記通気溝の外部側の端から屈曲部に至る直線状の経路を延長するように、該屈曲部に連通していることを特徴とするカメラモジュール。
【請求項２】
上記凹部の深さは、通気溝の深さよりも大きいことを特徴とする請求項１に記載のカメラモジュール。
【請求項３】
上記通気溝は、凹部との連通部分がそれ以外の部分よりも深くなっており、上記凹部の深さは、上記通気溝の凹部との連通部分の深さと同じであることを特徴とする請求項１に記載のカメラモジュール。
【請求項４】
上記通気溝は、凹部との連通部分がそれ以外の部分よりも深くなっており、上記凹部の深さは、上記通気溝の凹部との連通部分の深さよりも大きいことを特徴とする請求項１に記載のカメラモジュール。
【請求項５】
上記凹部の通気溝との連通部分の幅と上記凹部の奥行との少なくとも一方が、通気溝の上記凹部との連通部分の幅よりも大きいことを特徴とする請求項１〜４のいずれか１項に記載のカメラモジュール。
【請求項６】
上記凹部は、通気溝との連通部分である入口側の幅よりも、奥側の幅が広くなっていることを特徴とする請求項１〜５のいずれか１項に記載のカメラモジュール。
【手続補正２】
【補正対象書類名】明細書
【補正対象項目名】０００３
【補正方法】変更
【補正の内容】
【０００３】
特許文献１のカメラモジュールの構造を図１５（ａ）〜（ｅ）に示す。図１５（ａ）に示すように、カメラモジュールは、集光部２０と、撮像部１０とを備える。集光部２０には、レンズ保持体２２と、レンズ保持体２２に固定された、レンズ２１を含むレンズユニットとが設けられている。撮像部１０には、配線基板１１と、配線基板１１上に接着剤１２を介して設置された撮像素子１３と、ガラスおよびプラスチック等からなる透明板１７と、配線基板１１および撮像素子を覆うカバー体１４とが設けられている。カバー体１４は、配線基板１１上に設置されている。撮像素子１３は、ワイヤ１５等にて配線基板１１に電気的に接続されている。透明板１７の端部は、接着剤１６によってカバー体１４に固定されている。レンズユニットは、撮像部１０における撮像素子１３および透明板１７の上方に設けられている。
【手続補正３】
【補正対象書類名】明細書
【補正対象項目名】００２７
【補正方法】変更
【補正の内容】
【００２７】
〔実施形態２〕
図４（ａ）は実施形態２のカバー体の構成を示す平面図であり、（ｂ）は（ａ）の縦線に沿った断面図、（ｃ）は（ａ）の横線に沿った断面図である。図１・４に示すように、カバー体３６の天井部における透明板３８との接着面には、通気溝４５と、通気溝４５から枝分かれするように形成された凹部４６とが設けられ、通気溝４５は屈曲部４５ｗを有し、凹部４６は、通気溝４５の外部側端部（外部空間側端部）Ｇから屈曲部４５ｗに至る経路を延長するように、屈曲部４５ｗに連通している。
【手続補正４】
【補正対象書類名】明細書
【補正対象項目名】００３３
【補正方法】変更
【補正の内容】
【００３３】
一方、内部空間４３から通気溝４５に侵入した異物は、通気溝４５の凹部４６との連通部を超えて、連通部と外部側端部Ｇとの間、あるいは凹部４６に到達する。連通部と外部側端部Ｇとの間に到達した異物は、内部空間４３が昇温されたときに、内部空間４３内部の気体膨張により生じる気流によって外部空間４４に排出される。また、内部空間４３が降温されたときに、内部空間４３内部の気体収縮により生じる気流によって、連通部と外部側端部Ｇとの間にある異物は、凹部４６に捕獲される。すなわち、通気溝４５への異物の侵入方向によって、異物の通過率に差が生じるため、撮像素子３９への異物付着（カメラモジュールの不良）を低減することが可能となる。
【手続補正５】
【補正対象書類名】明細書
【補正対象項目名】００５４
【補正方法】変更
【補正の内容】
【００５４】
実施の形態１１では、通気溝４５の外部側端部Ｇに侵入した異物は、容易に凹部４６に捕獲され、通気溝４５の内部側端部（内部空間側端部）Ｎに侵入した異物は、通気溝４５の外部側端部Ｇまで戻され易く（通過し易く）なっている。すなわち、内部空間４３に到達する異物を減らし、カメラモジュールの不良率を低減することが可能である。なお、凹部４６については、外部空間４４側の奥行４６ｓをゼロとする（凹部４６の平面形状を三角形とする）こともできる。
【手続補正６】
【補正対象書類名】図面
【補正対象項目名】図１１
【補正方法】変更
【補正の内容】
【図１１】
2015159689.tif 000018
【国際調査報告】
2015159689.tif 000019
2015159689.tif 000020
2015159689.tif 000021
2015159689.tif 000022